(57)【要約】【課題】  ラップフィルムの収納箱からラップフィルムを引き出して使用する際、箱体の開口部から出ているラップフィルムを自然体に裁断した時、ラップフィルムは箱の中に戻って、薄く透明なこともあり、切り口が不明になることが多々ある。手間がかかることもあり、セセロテープで切り口を取り出すように指示してある箱もある。使用者が不便でなく、無駄に捨てたりすることがないように、掴み器具を合体させた構成の収納箱。【解決手段】  筒体に巻装されたラップフィルム体Ｑを収納し、所定の長さに裁断可能な箱体であって、前板Ａ、底板Ｂ、背板Ｃ、側板Ｄで構成され、該箱の開口部Ｅを封じる蓋ＦにカッターＧを設け、該前板中央底辺部に穴を開けて、紐状のものを通し、抜け防止器具に結び留め、紐状のものの他端をクリップの穴に通して結び、ラップフィルムを掴む器具を装置した収納箱。【選択図】図１
2012246054.tif 000002
【特許請求の範囲】
【請求項１】
剛性をもつ紙で形成された一対の方形状端面と３つの長方形状側面とが互いに連結されて形成されたロール上のラップフィルムシートが収納される箱体形状の収納本体と、剛性をもつ紙で形成され長辺端部が前記長方形状側面の端部に連結され、対向する長辺端部に前記ラップフィルムシートを裁断する裁断手段を備えたロール状のラップフィルムシートの収納体において、紐の端部に裁断されたラップフィルムシートの端部を掴むクリップが設けられた掴み具が前記収納本体に取り付けられたことを特徴とするロール状のラップフィルムシートの収納体。
【請求項２】
前記請求項１記載のロール状のラップフィルムシートの収納体の前記収納本体において、前記掴み具の紐が通る穴が設けられたことを特徴とする収納本体。
【請求項３】
前記請求項１記載のロール状のラップフィルムシートの収納体の前記掴み具において、前記紐の前記クリップを備えた端部とは反対側の端部に前記収納本体に着脱可能に取り付ける取付部材を設けたことを特徴とする掴み具。
【発明の詳細な説明】
【技術分野】
【０００１】  本発明は、一般家庭の台所で使用されるロール状に巻かれた透明のラップフィルムシートを収納するとともに裁断するロール状のラップフィルムシートの収納体、収納体を形成する収納本体及び収納されたシートの端部を掴む掴み具に関する。
【背景技術】
【０００２】  紙質で連接する長方形状の箱体から前板１、底板２、背板３、側板４、蓋６で形成し、開口部５を開閉自在での蓋体６は二分割構成し、一面は前板１の一辺１ａに連接し、その両側を側板４の両サイドにそれぞれ組付け自在自在での固定蓋６ｂで開口部５をわずかな解放スペースを残して、常時箱体の蓋体６として構成する。更にもう一面でなる開口部５を封印し、カッター７を具備するカッター蓋６ｂは背板３の一辺３ａに折り曲げ自在で対向に前板１に連接する固定蓋６ｂに重ねられた双方の隙間からラップフィルム体Ａから引き出された端子が頭出しとして所定の長さだけ引き伸ばされてカッターにより切断することができる。箱体に収納されたラップフィルム体Ａは開口部５から常時飛び出すことのない形態で、ラップフィルムは頭出しを可能にし、どんな方向からも引き出せる。
【先行技術文献】
【特許文献】
【０００３】
【特許文献１】  特開２００６−１９９３６８号公報
【発明の概要】
【発明が解決しようとする課題】
【０００４】  以上に述べた従来のロール状のラップフィルムシートの収納体は、収納されるラップフィルムシートが粘着性のある透明の薄いフィルムシートであるため、シートを裁断した後、シート端部がロール状に巻かれたシートにくっつき、シート端部の影が形成されないため、端部がどこにあるのか見つけることができず、シートを取り出すのに時間がかかり、特に早朝に弁当を作る際に時間がかかると、料理がうまくできなくなる恐れもある。そのため、本発明は、従来の欠点を解消して、シート端部を探すことなくすぐに端部を引っ張ることができるロール状のラップフィルムシートの収納体を提供することを目的としてなされたものである。【０００５】  本発明は、このような従来の構成が有している問題を解決しようとするものであり、ラップフィルムを簡単で確実に取り出すことを目的とする。
【課題を解決するための手段】
【０００６】  本発明は、上記目的を達成するため、剛性をもつ紙で形成された一対の方形状端面と３つの長方形状側面とが互いに連結されて形成されたロール上のラップフィルムシートが収納される箱体形状の収納本体と、剛性をもつ紙で形成され長辺端部が前記長方形状側面の端部に連結され、対向する長辺端部に前記ラップフィルムシートを裁断する裁断手段を備えたロール状のラップフィルムシートの収納体において、紐の端部に裁断されたラップフィルムシートの端部を掴むクリップが設けられた掴み具が前記収納本体に取り付けられたことを特徴とするロール状のラップフィルムシートの収納体を提供する。【０００７】  また本発明は、前記のロール状のラップフィルムシートの収納体の前記収納本体において、前記掴み具の紐が通る穴が設けられたことを特徴とする収納本体を提供する。【０００８】  さらに本発明は、前記のロール状のラップフィルムシートの収納体の前記掴み具において、前記紐の前記クリップを備えた端部とは反対側の端部に前記収納本体に着脱可能に取り付ける取付部材を設けたことを特徴とする掴み具。
【発明の効果】
【０００９】  上記解決手段に記載した収納体によれば、収納本体に取り付けられた掴み具のクリップでシート端部を掴むことができ、シート端部がシートにくっつくのを防止するのでシート端部が見えなくなるのを防ぐことができる。
【発明を実施するための最良の形態】
【００１０】  筒体に巻装されたラップフィルム体Ｑを収納し、所定の長さに裁断可能な箱体であって、前板Ａ、底板Ｂ、背板Ｃ、側板Ｄとで構成され、該箱の開口部Ｅを封じる蓋体ＦにカッターＧを設け、該前板の底辺中央部に穴を開けて、紐状のものを通し、抜け防止器具に結び留め、該紐状のものの他端をクリップの穴に通して結んだ掴み具を備えた収納箱。従来は、蓋にあるカッターの取り付け突き穴などでラップフィルムの切り口が留められていたが、不明になることも多々あり、その場合はセロテープでさがすように箱に指示されており、その手間と時間を考えると不便である。本発明は、掴んで留めることによりラップフィルムの切り口を取り出すことに手間取る時間がなくなり、有効に利用できる収納箱と器具。【００１１】  実施形態によるラップフィルムの切り口取出し器具で、クリップによる掴み器具の装置は、今まで考えられていなかったが、ラップフィルムの利用者が朝の弁当作りなど忙しい時に電子レンジを使用するのに必要性が高まり、より便利に利用できるように掴み器具を収納体に合体させたラップフィルムの収納箱。お年寄りや子ども、手が不自由な方、目が不自由な方にも掴みやすく、留めやすい。【００１２】  本発明は、上記実施形態に限定されるものではなく、他のラップフィルム収納箱の前板底辺中央に穴を開けて、該箱の内側から抜け防止器具をつけた紐状のものを通して留め、該箱から外に出ている該紐状のものの先端をクリップの穴に通して結ぶことにより、掴み器具の再利用ができる。
【図面の簡単な説明】
【００１３】
【図１】本発明に係わる第１実施例の全体斜視図である
【図２】背景技術の従来の全体斜視図である
【図３】本発明に係わる台実施例の要部断面図である
【符号の説明】
【００１４】Ａ  前板
Ｂ  底板
Ｃ  背板
Ｄ  側板
Ｅ  開口部
Ｆ  蓋
Ｇ  カッター
Ｈ  クリップ
Ｉ  ひも
Ｊ  穴
Ｋ  抜け防止器具
Ｑ  ラップフィルム
１  前板
２  底板
３  背板
４  側板
５  開口部
６  蓋
７  カッター
Ａ  ラップフィルム
【図１】
2012246054.tif 000003
【図２】
2012246054.tif 000004
【図３】
2012246054.tif 000005
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
剛性をもつ紙で形成された一対の方形状端面と３つの長方形状側面とが互いに連結されて形成されたロール上のラップフィルムシートが収納される箱体形状の収納本体と、剛性をもつ紙で形成され長辺端部が前記長方形状側面の端部に連結され、対向する長辺端部に前記ラップフィルムシートを裁断する裁断手段を備えたロール状のラップフィルムシートの収納体において、紐の端部に裁断されたラップフィルムシートの端部を掴むクリップが設けられた掴み具が前記収納本体に取り付けられ、クリップを備えた端部と反対側の端部に前記収納本体に着脱可能に取り付ける取付部材を設けたことを特徴とする掴み具。
【請求項２】
前記請求項１記載のロール状のラップフィルムシートの収納体の前記収納本体において、前記掴み具の紐が通る穴が設けられたことを特徴とする収納本体。